(57)【要約】      （修正有）【課題】芳香材料を加熱し、芳香材料が加熱により放出する香気を集中させ、使用者が容易に挟持でき、かつ使用者が香気を集める、または芳香ポットを移動するときのやけどを防止できる芳香ポットを提供する。【解決手段】伝熱部１１を凹設され、伝熱部に芳香材料を取り付けることができる、ポット体と、空気集中経路２１が形成されている、蓋体２０と、ポット体に組み込まれているベース３０と、加熱装置と、芳香材料を加熱して香気を発生し、香気は蓋体の空気集中経路によって集められ、使用者が香気を集めるため、両手でポット体の上部を囲むとき、不用意にポット体に触れても、やけどを防止でき、電気供給装置と、使用者の挟持によって、ポット体を触れずにポット体を移動することができ、使用者が芳香ポット１を移動するとき、不用意に芳香ポットに触れても、やけどを防止することができるベースとを備える。【選択図】図３
0003174002.tif 000002
【実用新案登録請求の範囲】
【請求項１】
ポット体と、蓋体と、加熱装置と、を備える芳香ポットであって、
前記ポット体は中空状を形成し、前記ポット体の内部に収容空間を形成され、前記ポット体は伝熱部材からなり、前記ポット体は上端と底端とを設けられ、前記ポット体は前記上端に伝熱部を凹設され、前記伝熱部に芳香材料を取り付けることができ、
前記蓋体は、第１端と第２端とを有し、前記蓋体の前記第１端は、前記ポット体の上端に組み込まれ、前記蓋体は、前記第１端に空気入力穴を穿設され、前記蓋体は、前記第２端に空気排出穴を穿設され、前記空気排出穴、前記空気入力穴及び前記ポット体の前記伝熱部は、同軸上に設けられ、前記蓋体は、前記空気入力穴と前記空気排出穴との間に、壁部を形成され、前記空気入力穴と前記空気排出穴と前記壁部は、空気集中経路を形成することによって、前記空気集中経路と前記ポット体の前記伝熱部が同軸上に位置されており、
前記加熱装置は、前記ポット体の前記収容空間の内部に組み込まれ、前記加熱装置の一端は加熱面を有し、前記加熱装置の前記加熱面は、前記ポット体の前記伝熱部に貼り合わせられていることを特徴とする芳香ポット。
【請求項２】
前記伝熱部は、伝熱面を有し、前記ポット体の前記伝熱部の前記伝熱面に芳香材料を取り付けることができ、前記ポット体の前記伝熱面の反対面は前記加熱装置の加熱面に貼り合わることによって、前記加熱装置より形成する熱エネルギーは、前記加熱装置の前記加熱面より、前記ポット体の前記伝熱部の前記伝熱面に伝導され、前記空気入力穴は、内径を有し、前記空気排出穴の内径は、前記空気入力穴の内径より小さく設けられ、前記空気集中経路の内径は、前記第１端より前記第２端に向かって、次第に縮小しながら延在され、前記蓋体は、前記第１端の軸方向に延在して組付け部を形成し、前記組付け部は外壁面を有し、前記伝熱部は内壁面を有し、前記蓋体の前記組付け部は、前記ポット体の上部に組み込まれ、前記組付け部の前記外壁面と前記伝熱部の前記内壁面は、密着して貼り付けられていることを特徴とする、請求項１記載の芳香ポット。
【請求項３】
さらに係止シートを有し、前記係止シートは、前記ポット体の前記収容空間に組み込まれ、前記係止シートは、弾性の部材からなり、上部を有し、前記上部は、前記係止シートが前記ポット体に組み込まれた弾性付勢力によって、前記加熱装置に当設され、前記係止シートが前記上部の反対端に複数の足部を形成され、前記足部は、それぞれ前記ポット体の内面に係止され、前記加熱装置が前記加熱面の反対端は、貼り合わせ面を設けられ、前記加熱装置の前記貼り合わせ面と前記係止シートの前記上部と密着して貼り付けることによって、前記加熱装置を前記ポット体と前記係止シートとの間に挟設されることを特徴とする、請求項１記載の芳香ポット。
【請求項４】
さらにベースが設けられ、前記ベースは、前記ポット体の底端に組み込まれ、前記ポット体の前記底端は、接続口が設けられ、前記接続口は、前記ポット体の前記収容空間に連絡され、前記ベースの一端は、接続部を設けられ、前記接続部は、前記ポット体の前記接続口に組み込まれ、前記ベースが前記接続部の反対端は、配置部を設けられ、前記配置部は、前記芳香ポットを平面に取り付ける機能を提供し、
前記ポット体の前記接続口の内周縁に貼り合わせ面を形成され、前記ベースの前記接続部は、係止面と上面とを設けられ、前記接続部は、前記ポット体の前記接続口に設けられ、前記係止面は、前記接続口の前記貼り合わせ面に貼り付けられ、前記上面は、前記ポット体の前記底端の外面に係止していて、前記ベースは、前記接続部と前記配置部との間に、挟持部を形成し、前記挟持部は、使用者の片手の２本指の間、指の付け根部から指の末端部までの区間に位置され、前記接続部によって、使用者の指を係止する機能を提供し、使用者が前記挟持部を挟持することによって、前記ポット体を触れずに、芳香ポットを移動することができ、
さらに電気供給装置を有し、前記電気供給装置より前記芳香ポットに電気を供給し、前記加熱装置と電気導通され、前記電気供給装置は、制御具を有し、前記制御具は、前記芳香ポットの電気供給および前記加熱装置の温度を制御することができる、前記制御具の両端部は、それぞれ第１ケーブルと第２ケーブルに電気導通され、前記第１ケーブルは前記加熱装置と電気導通され、前記第２ケーブルは、前記制御具の反対端に、プラグを接続され、前記プラグをソケットに接続して、前記芳香ポットに電気供給することができ、。
前記ベースの軸方向に連絡穴が穿設され、前記連絡穴と前記ポット体の前記収容空間が連絡され、前記ベースは前記接続部と前記配置部との間に貫通穴を設けられ、前記貫通穴は、前記ベースの前記連絡穴と連絡され、前記第１ケーブルは、前記ベースの前記貫通穴と前記連絡穴を通過して、前記ポット体の前記収容空間に進入し、前記加熱装置と電気導通されることを特徴とする、請求項１記載の芳香ポット。
【請求項５】
ポット体と、ベースと、加熱装置と、を備える芳香ポットであって、
前記ポット体は中空状を形成し、前記ポット体の内部に収容空間を形成され、前記ポット体は伝熱部材からなり、前記ポット体は上端と底端とを設けられ、前記ポット体の前記上端に伝熱部を凹設され、前記伝熱部に芳香材料を取り付けることができ、前記ポット体の前記底端に接続口が設けられ、前記接続口は、前記ポット体の前記収容空間に連絡されており、
前記ベースは、前記ポット体の底端に組み込まれ、前記ベースの一端は、前記接続部を設けられ、前記接続部は、前記ポット体の前記接続口に組み込まれ、前記ベースは、前記接続部の反対端に、配置部を設けられ、前記配置部によって、前記芳香ポットを平面に取り付ける機能を提供され、前記ベースは、前記接続部と前記配置部との間に、挟持部を形成されており、
前記加熱装置は、前記ポット体の前記収容空間の内部に組み込まれ、前記加熱装置の一端は加熱面を有し、前記加熱装置の前記加熱面は、前記ポット体の前記伝熱部に貼り合わせられていることを特徴とする芳香ポット。
【請求項６】
前記挟持部の両端部の間に挟持空間を形成され、前記挟持空間によって、使用者の指部を収容する機能が提供され、前記挟持部は、使用者の片手の２本指の間において、指の付け根部から指の末端部までの空間を形成していて、かつ前記接続部と前記配置部によって、使用者の指部に係止機能が提供されており、
前記伝熱部は、伝熱面を設けられ、前記ポット体の前記伝熱部の前記伝熱面に、芳香材料を取り付けることができ、前記ポット体の前記伝熱部の反対面は、前記加熱装置の前記加熱面に密着して貼り付けることによって、前記加熱装置の発生熱は、前記加熱装置の前記加熱面より前記ポット体の前記伝熱部の前記伝熱面に伝導され、
前記芳香ポットは、係止シートを有し、前記係止シートは、前記ポット体の前記収容空間の内部に組み込まれ、前記係止シートは、弾性の部材からなり、前記係止シートの一端は、上部を設けられ、前記上部は、前記係止シートが前記ポット体に組み込まれた弾性付勢力量によって、前記加熱装置に当設され、前記係止シートは、前記上部の反対端に、複数の足部を形成され、前記足部は、それぞれ前記ポット体の内面に当接されていることを特徴とする、請求項５記載の芳香ポット。
【請求項７】
前記加熱装置は、前記加熱面の反対端に、貼り合わせ面を設けられ、前記加熱装置の前記貼り合わせ面と前記係止シートの前記上部を密着して貼り付けることによって、前記加熱装置を前記ポット体と前記係止シートとの間に挟設され。
さらに電気供給装置を有し、前記電気供給装置より前記芳香ポットに電気を供給し、前記加熱装置と電気導通され、前記電気供給装置は、制御具を有し、前記制御具は、前記芳香ポットの電気供給および前記加熱装置の温度を制御することができる、前記制御具の両端部は、それぞれ第１ケーブルと第２ケーブルに電気導通され、前記第１ケーブルは前記加熱装置と電気導通され、前記第２ケーブルは、前記制御具の反対端に、プラグを接続され、前記プラグをソケットに接続して、前記芳香ポットに電気供給し、
前記ベースの軸方向に連絡穴を穿設され、前記連絡穴と前記ポット体の前記収容空間が連絡され、前記ベースは前記接続部と前記配置部との間に貫通穴を設けられ、前記貫通穴は、前記ベースの前記連絡穴と連絡され、前記第１ケーブルは、前記ベースの前記貫通穴と前記連絡穴を通過して、前記ポット体の前記収容空間に進入し、前記加熱装置と電気導通されることを特徴とする、請求項６記載の芳香ポット。
【考案の詳細な説明】
【技術分野】
【０００１】
本考案は芳香ポットに関し、特に芳香材料を加熱し、芳香材料が加熱により放出する香気を集中させ、使用者が容易に挟持でき、かつ使用者が香気を集める、または芳香ポットを移動するときのやけどを防止できる芳香ポットに関する。
【背景技術】
【０００２】
電子式香炉は、現在のもっとも流行する芳香器である。中華民国特許第Ｍ３５４７１５号（特許文献１）によれば、セラミック電気炉であって、ポット体の上部に伝熱区域を設け、前記伝熱区域の底面は、プレートヒーターを設け、前記ポット体の一つの側面は、電気ソケットを設け、前記プレートヒーターと前記電気ソケットとの間が電気導通していて、前記プレートヒーターは、ばね板によって、前記ポット体の内部に取り付けられている。これにより、前記電気ソケットを外部電源に接続することによって、電気供給装置と電気接続され、伝熱区域に取り付けられた物質（例えば、清酒、精油または香料など）を加熱することができる。
【先行技術文献】
【特許文献】
【０００３】
【特許文献１】中華民国特許第Ｍ３５４７１５号
【考案の概要】
【考案が解決しようとする課題】
【０００４】
しかし、この種の電気炉を利用して、伝熱区域に置かれた物品を加熱し、物質に香気が発生させ、香気は直接に伝熱区域より伝熱区域に設けられた外部に拡散する角度の内壁面を沿って、外部空間に漂わせるとき、香気に空気中の匂いを含ませて発散してしまい、使用者は直接に高純度の香気を吸入することができず、アロマセラピー嗜好者のニーズに応えることはできない。
【０００５】
さらに、使用者が両手でポット体の上部を囲んで香気を集めるとき、両手とポット体の上部との間にできるすき間及び指と指との間にできるすき間より、香気が外部空間に発散され、集められた香気に空気中の匂いが含まれてしまう。一方、両手でポット体を囲んで香気を集めると、手の汗の匂いが香気に沁み込み、香気の純度が低下する。
【０００６】
使用者が両手でポット体の上部を囲む過程で、両手がポット体に触れる可能性がある。プレートヒーターより発生した熱エネルギーによって、ポット体が高温になるため、不用意にポット体の表面に触れると、使用者がやけどの恐れがある。
【０００７】
さらに、ポット体全体の外部表面温度が高いため、使用者が手で電気炉を移動することができず、電気炉使用後一定の時間を経過し熱を冷まして置かなければ、移動することはできない。使用者に多大な不便を与えている。
【０００８】
さらに、公知技術の電気式芳香炉は、不規則の孔を備えた蓋を使用し、電気式芳香炉の上部を被せており、電気式芳香炉によって形成される香気は蓋を通過して、外部空間に発散される。しかし、この種の蓋は、芳香材料の燃焼によるタール物質によって塞がれ、外部の美観性を損なわれるばかりでなく、清掃にも極めて手間が掛かる。
【課題を解決するための手段】
【０００９】
本考案の芳香ポットは、ポット体の伝熱部の伝熱面に芳香材料を取付けて、熱エネルギーは、加熱装置の加熱面よりポット体の伝熱面に伝導され、芳香材料が受熱により香気を発生し、香気はポット体の伝熱部の伝熱面より上昇し、蓋体の空気集中経路を通過する。空気集中経路の内径は、第１端から第２端に向かって、次第に縮小しながら延在させることによって、蓋体の空気集中機能を提供する。
【００１０】
本考案の芳香ポットにおいては、蓋体によって、香気集中の機能を提供する。使用者の両手がポット体の上部を囲まなくても、香気を集中することができる。使用者が香気を集めるとき、両手をポット体の上部を囲むとき、不用意にポット体を触れてやけどを防止できるほか、使用者の汗の匂いまたは両手に付着していた不純物が芳香材料に沁み込み、受熱によって香気に混入する恐れはない。
【００１１】
本考案の芳香ポットを使用するとき、使用者の指部を挟持空間に置き、挟持部は、使用者の指部の間に位置され、接続部によって、使用者の指部に係止機能を提供している。使用者がポット体を触れずに、挟持部を挟持することだけで芳香ポットを移動できる。使用者が芳香ポットを移動するとき、不用意にポット体を触れてやけどを防止することができる。
【００１２】
本考案の芳香ポットは、空気排出穴、空気入力穴とポット体の伝熱部が同軸上に設けられ、香気が空気集中経路の第１端を通過する速度は、空気集中経路の第２端を通過する速度より遅く、かつ香気が空気集中経路しか放出されないように制限することによって、加熱された芳香材料によって形成するタールは、蓋体を塞がない。
【考案の効果】
【００１３】
以下の説明内容から、本考案の芳香ポットは、以下の長所をまとめることができる。
【００１４】
イ、本考案の芳香ポットは、ポット体の伝熱部の伝熱面に芳香材料を取付けて、熱エネルギーが加熱装置の加熱面よりポット体の伝熱面に伝導され、芳香材料の受熱により香気を発生し、香気がポット体の伝熱部の伝熱面より上昇し、蓋体の空気集中経路を通過する。空気集中経路の内径は、第１端から第２端に向かって、次第に縮小しながら延在され、蓋体より空気集中の機能が提供される。
【００１５】
ロ、本考案の芳香ポットにおいて、蓋体によっては、香気集中の機能が提供されるので。使用者の両手がポット体の上部を囲まなくても、香気を集中することができる。使用者が香気を集めるため、両手をポット体の上部を囲むときに、不用意にポット体を触れてやけどするのを防止できるほか、使用者の汗の匂いまたは両手に付着していた不純物が芳香材料に沁み込み、受熱によって香気に混入する恐れはない。
【００１６】
ハ、本考案の芳香ポットを使用するとき、使用者の指部を挟持空間に置き、挟持部は使用者の指部の間に位置され、接続部によって、使用者の指部に係止機能を提供されている。使用者がポット体を触れずに、挟持部を挟持することだけで芳香ポットを移動できる。使用者が芳香ポットを移動するとき、不用意にポット体を触れてやけどするのを防止することができる。
【００１７】
二、本考案は芳香ポットの空気出力穴、空気入力穴とポット体の伝熱部は、同軸上に設けられ、香気が空気集中経路の第１端を通過する速度は、空気集中経路の第２端を通過する速度より遅く、かつ香気は空気集中経路しか放出されないように制限することによって、加熱された芳香材料が放出するタールは、蓋体を塞がない。
【図面の簡単な説明】
【００１８】
【図１】本考案の芳香ポットの立体外観図である。
【図２】本考案の芳香ポットの立体分解図である。
【図３】本考案の芳香ポットの断面視図である。
【図４】本考案の芳香ポットの使用態様図である。
【考案を実施するための形態】
【実施例】
【００１９】
図１ないし３を参照する。図１は、本考案の芳香ポットの立体外観図である。図２は、本考案の芳香ポットの立体分解図である。図３は、本考案の芳香ポットの断面視図である。
【００２０】
本考案の芳香ポット１は、ポット体１０と、蓋体２０と、ベース３０と、係止シート４０、加熱装置５０と、電気供給装置６０と、を備える。
【００２１】
そのうち、ポット体１０は中空状を形成し、ポット体１０の内部に収容空間Ｓが形成されている。ポット体１０は伝熱部材からなり、ポット体１０は、上端１０１と底端１０２とを有する。ポット体１０の上端１０１は、伝熱部１１を凹設され、伝熱部１１は、伝熱面１１１と内壁面１１２とを有する。伝熱部１１は、伝熱面１１１と内壁面１１２との間に、斜度を有する延伸面１１３を設けられ，延伸面１１３と伝熱面１１１との挟み角は、９０度より大きい。ポット体１０は底端１０２に、接続口１２を設けられ、接続口１２は、ポット体１０の収容空間Ｓと連絡していて、かつ接続口１２の内周縁に貼り合わせ面１２１が形成されている。
【００２２】
蓋体２０は、ポット体１０の上端１０１に組み込まれ、蓋体２０によって、香気を集中する機能が提供され、蓋体２０は、第１端２０１と第２端２０２を設けられ、蓋体２０の外径は、第１端２０１から第２端２０２に向かって次第に縮小され、蓋体２０の第１端２０１は、ポット体１０の上端１０１に組み込まれ、蓋体２０は、第１端２０１の軸方向に空気入力穴２０３を穿設されている。蓋体２０は、第２端２０２の軸方向に空気排出穴２０４を穿設され、空気排出穴２０４、空気入力穴２０３とポット体１０の伝熱部１１は、同軸上に位置されている。蓋体２０は、空気入力穴２０３と空気排出穴２０４との間に、壁部２０５を形成され、空気入力穴２０３は、内径Ｄ１を有する。空気排出穴２０４は、内径Ｄ２を有し、空気排出穴２０４の内径Ｄ２は、空気入力穴２０３の内径Ｄ１より小さく、かつ蓋体２０は、空気入力穴２０３、空気排出穴２０４と壁部２０５とを空気集中経路２１を形成され、空気集中経路２１と伝熱部１１は、同軸上に位置され、空気集中経路２１の内径は、第１端２０１より第２端２０２に向かって次第に縮小することによって、香気が空気集中経路２１を通過するとき、空気集中経路２１の内径が次第に縮小する変化によって、香気の集中機能を達成する。
【００２３】
蓋体２０は、第１端２０１の軸方向に延在して、組付け部２２を形成され、組付け部２２の外径は、蓋体２０の第１端２０１の外径より小さく、組付け部２２は、外壁面２２１を設けられ、蓋体２０の組付け部２２は、ポット体１０の上端１０１に組付けられ、組付け部２２の外壁面２２１と伝熱部１１の内壁面１１２は、密着して貼り付けられている。
【００２４】
ベース３０は、ポット体１０の底端１０２に組付けられ、ベース３０は、使用者が挟持して芳香ポット１を移動するに提供され、ベース３０は軸方向に連絡穴３１を穿設され、連絡穴３１とポット体１０の収容空間Ｓが連絡されている。ベース３０の一端は接続部３２を有し、接続部３２は、係止面３２１と上面３２２とを有する。係止面３２１は、上面３２２に垂直していて、接続部３２は、ポット体１０の接続口１２に組付けられ、係止面３２１は、接続口１２の貼り合わせ面１２１に貼り付けられ、上面３２２は、ポット体１０の底端１０２の外面に係止されている。
【００２５】
ベース３０において、接続部３２の反対端に、配置部３３を設けられ、配置部３３によって、芳香ポット１を平面に取り付ける機能を提供している。ベース３０は、接続部３２と配置部３３との間に、挟持部３４が形成され、挟持部３４両端の間は、挟持空間Ｓ１を形成され、挟持空間Ｓ１によって、使用者の指部を収容する機能を提供し、挟持部３４は、使用者の片手の２本指の間、指の付け根部から指の末端部までの区間に位置され、接続部３２によって、使用者の指部の係止機能が提供される。ベース３０は、接続部３２と配置部３３との間に、貫通穴３５を穿設され、貫通穴３５とベース３０の連絡穴３１と、ポット体１０の収容空間Ｓは、互いに連絡されている。
【００２６】
係止シート４０は、ポット体１０の収容空間Ｓの内部に組み込まれ、係止シート４０は、弾性部材からなり、係止シート４０の一端は、上部４１を有し、上部４１は、係止シート４０によって、ポット体１０の内部に組み込まれた弾性付勢力によって、加熱装置５０に当設され、係止シート４０が上部４１の反対端に、複数の足部４２を形成されている。本実施例において、足部４２は４つを設けられている。足部４２は、それぞれ係止シート４０の弾性付勢力量によって、ポット体１０の内面に当設されている。係止シート４０は、複数の足部４２のいずれかに、取付穴４３を穿設されている。
【００２７】
加熱装置５０は、ポット体１０の収容空間Ｓの内部に組付けて、電気供給装置６０と電気導通され、加熱装置５０は、本実施例において、加熱コイルであり、加熱装置５０の両端部は、それぞれ加熱面５１と貼り合わせ面５２とを有する。加熱装置５０の加熱面５１とポット体１０の伝熱部１１の伝熱面１１１の反対面を密着して貼り付けることによって、加熱装置５０の発生する熱エネルギーが伝熱面１１に伝導され、加熱装置５０の貼り合わせ面５２と係止シート４０の上部４１を密着して貼り付けることによって、加熱装置５０をポット体１０の伝熱部１１と係止シート４０の上部４１の間に挟持される。
【００２８】
電気供給装置６０によって、芳香ポット１の電気を提供し、加熱装置５０と電気導通する。電気供給装置６０は、制御具６１を有し、制御具６１は、芳香ポット１に電気を供給するほか、加熱装置５０の温度を制御することができる。制御具６１の両端部は、それぞれ第１ケーブル６２と第２ケーブル６３とを電気導通され、第１ケーブル６２は、ベース３０の貫通穴３５と連絡穴３１から、ポット体１０の内部を通過して、係止シート４０の取付穴４３を介して、加熱装置５０と電気導通されている。第２ケーブル６３は、制御具６１の反対端に、プラグ６４を接続され、プラグ６４は、ソケットに接続して、芳香ポット１に電気供給することができる。
【００２９】
引き続き、図４本考案の芳香ポットの使用態様図を参照する。芳香ポット１０の伝熱部１１の伝熱面１１１に、芳香材料（例えば、ひのき、ビャクダン、沈香または精油など加熱した後に香気を放出される物質）が電気供給装置６０より、加熱装置５０に電気供給することにより、電気エネルギーを熱エネルギーに置き換えて、加熱装置５０の加熱面５１から芳香ポット１０の伝熱部１１の伝熱面１１１に伝導され、芳香材料が受熱によって、発生する香気は、芳香ポット１０の伝熱部１１の伝熱面１１１より上昇し、蓋体２０の空気集中経路２１を通過する。空気集中経路２１の内径は、第１端２０１より第２端２０２に向かって次第に縮小することから、空気集中経路２１の第１端２０１の内径は第２端２０２の内径より小さく、空気集中経路２１の第１端２０１の横断面の面積は、空気集中経路２１の第２端２０２の横断面の面積より大きいことが分かる。流体の流量公式によれば、Ｑ＝ＡＶ。そのうち、Ｑを流量、Ａを横断面の面積、Ｖを流体の流速とした場合、流体が一定のとき、香気が空気集中経路２１の第１端２０１に通過する速度は、空気集中経路２１の第２端２０２を通過する速度より遅い。これにより、香気を素早く蓋体２０に通過させ、香気に不純物の匂いの混入を防止する。
【００３０】
さらに、流体のコアンダ効果（Ｃｏａｎｄａ  Ｅｆｆｅｃｔ）とは、流れの中に物体を置いたときにその物体に沿って流れの向きが変わる粘性の有る流体の性質をいう。コアンダ効果は、流体の流れ方向を改変する性質を有し、流体が曲面を離れると、曲面の接線方向に沿って、出射する性質という。よって、香気はポット体１０の伝熱部１１の伝熱面１１１より上昇して、蓋体２０の空気集中経路２１を通過したとき、香気は、蓋体２０の空気集中経路２１の内周縁に貼り付けて上昇され、かつ空気集中経路２１の内周縁に沿って、蓋体２０の第２端２０２に向かって、外部に出射される。蓋体２０の外面は、ポット体１０の伝熱部１１が同じく方向に穿設されている空気集中経路２１しかなく、空気集中経路２１以外の穴部を有しない。これにより、香気は、空気集中経路２１より出射することを制限して置き、蓋体２０による香気集中の効果を達成する。
【００３１】
よって、蓋体２０は、香気集中の機能を提供できる。使用者の両手がポット体１０の上端１０１を囲まなくても、香気を集中することができる。使用者が香気を集めるため、両手をポット体１０の上端１０１を囲むとき、不用意にポット体１０を触れてやけどするのを防止できるほか、使用者の汗の匂いまたは両手に付着していた不純物が芳香材料に沁み込み、受熱によって香気に混入する恐れはない。
【００３２】
本考案の芳香ポットを使用するとき、使用者の指部を挟持空間Ｓ１に置き、挟持部３４は、使用者の指部の間に位置され、接続部３２によって、使用者の指部に係止機能を提供している。使用者がポット体１０を触れずに、挟持部３４を挟持することだけで芳香ポット１を移動できる。使用者が芳香ポット１を移動するとき、不用意にポット体１０を触れてやけどするのを防止することができる。
【００３３】
空気排出穴２０４と、空気入力穴２０３とポット体１０の伝熱部１１が同軸上に位置しているため、空気集中経路２１とポット体１０の伝熱部１１も同じ方向に位置されている。前述香気が空気集中経路２１の第１端２０１を通過する速度は、空気集中経路２１の第２端２０２を通過する速度より遅いほか、香気は空気集中経路２１しか出射できないように制限されているため、加熱された芳香材料が形成するタールは、蓋体２０の内部を塞がない。
【符号の説明】
【００３４】
１        芳香ポット
１０      ポット体
１０１    上端
１０２    底端
１１      伝熱部
１１１    伝熱面
１１２    内壁面
１１３    延伸面
１２      接続口
１２１    貼り合わせ面
２０      蓋体
２０１    第１端
２０２    第２端
２０３    空気入力穴
２０４    空気排出穴
２０５    壁部
２１      空気集中経路
２２      組付け部
２２１    外壁面
３０      ベース
３１      連絡穴
３２      接続部
３２１    係止面
３２２    上面
３３      配置部
３４      挟持部
３５      貫通穴
４０      係止シート
４１      上部
４２      足部
４３      取付穴
５０      加熱装置
５１      加熱面
５２      貼り合わせ面
６０      電気供給装置
６１      制御具
６２      第１ケーブル
６３      第２ケーブル
６４      プラグ
Ｓ        収容空間
Ｓ１      挟持空間
Ｄ１      内径
Ｄ２      内径
【図１】
0003174002.tif 000003
【図２】
0003174002.tif 000004
【図３】
0003174002.tif 000005
【図４】
0003174002.tif 000006